(57)【要約】【課題】記憶容量や処理負担が極めて少ない簡単な処理により、ワンタッチキー操作でビデオ機器、オーディオ機器又はそれらの複合機器からなる再生装置の出力音量を減音前の出力音量に応じて効果的に減音する。【解決手段】テレビジョン受信装置１のリモコン端末器３の操作部にサブミュートキーを設け、このキーが操作されたときの受信装置１の出力音量を不揮発性メモリ部８に基準音量として記憶し、制御部６により、基準音量が設定された指定減音量のＫ倍以上か否かを判定し、その判定結果に基づき基準音量が指定減音量のＫ倍以上であれば受信装置１の出力音量を基準音量より指定減音量低い音量に減音し、基準音量が指定音量のＫ倍より小さければ受信装置１の出力音量を基準音量の（Ｋ−１）／Ｋに減音し、減音後のサブミュートキーの操作により受信装置１の出力音量を基準音量に戻す。【選択図】図１
2007318591.tif 000002
【特許請求の範囲】
【請求項１】
ビデオ機器、オーディオ機器又はそれらの複合機器からなる再生装置に設けられ、前記再生装置の出力音量を減音調整する音量調整装置であって、前記再生装置の操作部に設けられた減音指令操作手段と、前記減音指令操作手段が操作されたときの前記再生装置の出力音量を基準音量として記憶する基準音量記憶手段と、前記基準音量が、設定された指定減音量のＫ倍（Ｋは１より大きい係数）以上か否かを判定する音量判定手段と、該音量判定手段の判定結果に基づき前記基準音量が前記指定減音量の前記Ｋ倍以上であれば前記再生装置の出力音量を前記基準音量記憶手段の前記基準音量より前記指定減音量低い音量に減音し、前記基準音量が前記指定音量の前記Ｋ倍より小さければ前記再生装置の出力音量を前記基準音量記憶手段の前記基準音量の（Ｋ−１）／Ｋに減音する減音制御手段と、減音後の前記減音指令操作手段の操作により前記再生装置の出力音量を前記基準音量記憶手段の前記基準音量に戻す減音解除手段を備えたことを特徴とする音量調整装置。
【請求項２】
ビデオ機器、オーディオ機器又はそれらの複合機器からなる再生装置に設けられ、前記再生装置の出力音量を調整する音量調整装置であって、前記再生装置の操作部に設けられた減音指令操作手段と、前記減音指令操作手段の減音開始の最初の操作時に前記再生装置の出力音量を基準音量として記憶する基準音量記憶手段と、前記減音指令操作手段が設定回数操作される間、前記減音指令操作手段の操作毎に前記再生装置の出力音量が設定された指定減音量のＫ倍（Ｋは１より大きい係数）以上か否かを判定する音量判定手段と、前記減音指令操作手段が前記設定回数操作される間、前記音量判定手段の判定結果に基づき前記減音指令操作手段の操作毎に前記再生装置の出力音量が前記指定減音量の前記Ｋ倍以上であれば前記再生装置の出力音量を前記指定減音量低い音量に減音し、前記再生装置の出力音量が前記指定減音量の前記Ｋ倍より小さければ前記再生装置の出力音量を（Ｋ−１）／Ｋに減音することをくり返す減音制御手段と、前記減音指令操作手段の前記設定回数の操作のつぎの操作により前記再生装置の出力音量を前記基準音量記憶手段の前記基準音量に戻す減音解除手段を備えたことを特徴とする音量調整装置。
【請求項３】
請求項２記載の音量調整装置において、前記減音制御手段は、前記減音指令操作手段が記設定回数操作されたときに前記再生装置の出力音量を消音状態にすることを特徴とする音量調整装置。
【請求項４】
請求項３記載の音量調整装置において、前記減音指令操作手段が、前記操作部のミュートキーにより形成されることを特徴とする音量調整装置。
【請求項５】
請求項２乃至４の何れか１つに記載の音量調整装置において、
前記減音制御手段は、前記減音指令操作手段の操作回数に応じて前記Ｋの大きさを変えることを特徴とする音量調整装置。
【請求項６】
請求項１乃至５の何れか１つに記載の音量調整装置において、前記操作部が前記再生装置のリモコン端末器からなることを特徴とする音量調整装置。
【発明の詳細な説明】
【技術分野】
【０００１】
本発明は、ビデオ機器、オーディオ機器又はそれらの複合機器からなる再生装置に設けられ、その出力音量を減音調整する音量調整装置に関する。
【背景技術】
【０００２】
テレビジョン受信装置のようなビデオ機器や、サラウンドシステム、ポータブルＣＤプレーヤ等のようなオーディオ機器等の音声出力機能（スピーカ出力機能）を備えた再生装置、更には、ＤＶＤ付きテレビジョン受信装置等の前記のビデオ機器とオーディオ機器の複合機器からなる再生装置は、多くの場合、本体装置とユーザの手元操作用のリモコン端末器とからなり、本体装置又はリモコン端末器の操作部のキー操作（押釦操作等を含む）により、受信、再生する番組の選択や出力音量のアップ／ダウンの音量調整等が行なえるようになっている。
【０００３】
又、これらの再生装置には前記操作部にいわゆるミュートキー（又はミュートボタン）を設け、このミュートキーの操作により、ワンタッチのキー操作で出力音量の完全なミュート（消音）、ミュートの解除に交互に切り替えられるようにしたものもある。
【０００４】
更に、前記ミュートキーを操作したときに、出力音量が設定音量より大きければ出力音量を予め設定されたハーフミュートの音量に減音し、出力音量が前記設定音量より小さければ出力音量を前記の完全なミュートの状態にし、前記出力音量が完全なミュートの状態であればミュートを解除して元の音量状態に戻すようにし、ミュートキーの操作で出力音量をハーフミュート、完全なミュート、ミュート解除（元の音量）、ハーフミュート、…に循環するように順に切り替え、ユーザの要望に沿った音量調整を実現することが提案されている（例えば、特許文献１参照。）。
【特許文献１】特開平７−７６９３号公報（要約書、段落［００１１］−［００１４］、図１、図２等）
【発明の開示】
【発明が解決しようとする課題】
【０００５】
前記従来公報（特許文献１）に記載の音量調整装置の場合、ハーフミュートの音量は予め設定された固定音量であり、ミュートキーを操作したときの出力音量の大小に基づき、設定音量より大きい出力音量を一律にハーフミュートの固定音量に減音し、設定音量以下の出力音量を一律にミュートする構成であるため、減音前の出力音量をその音量に応じて適切に減音することができず、減音前の出力音量の大きさに応じたきめ細かな減音調整が行なえない問題があり、例えば、減音前の出力音量がハーフミュートの固定音量に近い音量であれば、減音の前後で音量が殆ど変わらず、減音後の出力音量を減音前の出力音量に応じて効果的に減音できない問題がある。
【０００６】
更に、減音する状況等によっては、例えば、前記のハーフミュートの固定音量より更に減音することが好ましい事態も生じるが、前記従来公報（特許文献１）に記載の減音装置ではこのような要求に対応することができない問題もある。
【０００７】
なお、減音後の出力音量を減音前の出力音量に応じて効果的に減音するため、種々の大きさの減音前の出力音量それぞれについての最適な減音後の出力音量を予め設定しておき、実際の出力音量（現在音量）に対して、この音量に最も近い減音前の出力音量についての減音後の出力音量を選択し、選択した音量に減音することが考えられるが、この場合は、減音前の出力音量と減音後の出力音量との多数個の組合わせをメモリ等に設定して保持する必要があり、しかも、現在音量と減音前の各出力音量との多数回の比較等の処理を極めて迅速に行なう必要があり、装置の記憶容量や処理負担等の面から実用的でない。
【０００８】
本発明は、記憶容量や処理負担が極めて少ない簡単な処理により、ワンタッチキー操作でビデオ機器、オーディオ機器又はそれらの複合機器からなる再生装置の出力音量を減音前の出力音量に応じて効果的に減音することを目的とし、更には、複数段階の減音が行なえるようにすることも目的とする。
【課題を解決するための手段】
【０００９】
上記の目的を達成するために、本発明の音量調整装置は、ビデオ機器、オーディオ機器又はそれらの複合機器からなる再生装置に設けられ、前記再生装置の出力音量を減音調整する音量調整装置であって、前記再生装置の操作部に設けられた減音指令操作手段と、前記減音指令操作手段が操作されたときの前記再生装置の出力音量を基準音量として記憶する基準音量記憶手段と、前記基準音量が、設定された指定減音量のＫ倍（Ｋは１より大きい係数）以上か否かを判定する音量判定手段と、該音量判定手段の判定結果に基づき前記基準音量が前記指定減音量の前記Ｋ倍以上であれば前記再生装置の出力音量を前記基準音量記憶手段の前記基準音量より前記指定減音量低い音量に減音し、前記基準音量が前記指定音量の前記Ｋ倍より小さければ前記再生装置の出力音量を前記基準音量記憶手段の前記基準音量の（Ｋ−１）／Ｋに減音する減音制御手段と、減音後の前記減音指令操作手段の操作により前記再生装置の出力音量を前記基準音量記憶手段の前記基準音量に戻す減音解除手段を備えたことを特徴としている（請求項１）。
【００１０】
又、本発明の音量調整装置は、ビデオ機器、オーディオ機器又はそれらの複合機器からなる再生装置に設けられ、前記再生装置の出力音量を調整する音量調整装置であって、前記再生装置の操作部に設けられた減音指令操作手段と、前記減音指令操作手段の減音開始の最初の操作時に前記再生装置の出力音量を基準音量として記憶する基準音量記憶手段と、前記減音指令操作手段が設定回数操作される間、前記減音指令操作手段の操作毎に前記再生装置の出力音量が設定された指定減音量のＫ倍（Ｋは１より大きい係数）か否かを判定する音量判定手段と、前記減音指令操作手段が前記設定回数操作される間、前記音量判定手段の判定結果に基づき前記減音指令操作手段の操作毎に前記再生装置の出力音量が前記指定減音量の前記Ｋ倍以上であれば前記出力音量を前記指定減音量低い音量に減音し、前記再生装置の出力音量が前記指定減音量の前記Ｋ倍より小さければ前記再生装置の出力音量を（Ｋ−１）／Ｋに減音することをくり返す減音制御手段と、前記減音指令操作手段の前記設定回数の操作の次の操作により前記再生装置の出力音量を前記基準音量記憶手段の前記基準音量に戻す減音解除手段を備えたことを特徴としている（請求項２）。
【００１１】
そして、上記請求項２の音量調整装置においては、ミュート機能を備えるため、前記減音制御手段は、前記減音指令操作手段が記設定回数操作されたときに前記再生装置の出力音量を消音状態にすることが好ましく（請求項３）、その際、部品数を少なくして操作の向上等も図るため、前記減音指令操作手段が、前記操作部のミュートキーにより形成されることが望ましい（請求項４）。
【００１２】
又、上記請求項２乃至４それぞれに係る音量調整装置の前記減音制御手段は、前記減音指令操作手段の操作回数に応じて前記Ｋの大きさを変えることが好ましい（請求項５）。
【００１３】
更に、上記請求項１乃至５それぞれに係る音量調整装置は、前記操作部が前記再生装置のリモコン端末器からなることも好ましい（請求項６）。
【発明の効果】
【００１４】
請求項１の発明によれば、再生装置の操作部に設けられた減音指令操作手段を操作すると、そのときの再生装置の出力音量、換言すれば、減音前の出力音量が基準音量として基準音量記憶手段に記憶される。又、指定減音量のＫ倍をしきい値として基準音量の大小を判別するため、音量判定手段により、基準音量が指定減音量のＫ倍以上か否かが判定される。
【００１５】
そして、再生装置の減音前の出力音量である基準音量をＡ、指定減音量をＺ、再生装置の減音後の出力音量をＹとすると、減音制御手段により、基準音量Ａが指定減音量ＺのＫ倍以上になる、Ａ≧Ｋ×Ｚの大きい範囲では、出力音量Ｙが自動的に基準音量Ａより指定減音量Ｚ低い音量Ａ−Ｚに減音され、基準音量Ａが指定減音量ＺのＫ倍未満になる、Ａ＜Ｋ×Ｚの小さいときには、出力音量Ｙが自動的に基準音量Ａの（Ｋ−１）／Ｋ（＜１）倍のＡ×（（Ｋ−１）／Ｋ）に減音される。
【００１６】
ここで、基準音量Ａ＝Ｋ×Ｚであれば、減音後の出力音量Ｙが、Ｙ＝Ａ−Ｚ＝（Ｋ−１）×Ｚ＝（Ｋ−１）×（Ａ／Ｋ）＝Ａ×（（Ｋ−１）／Ｋ）に減音されることから、減音後の出力音量Ｙは、例えば、横軸を減音前の基準音量Ａ、縦軸を減音後の出力音量Ｙとする、図５の減音特性図の実線ｙに示すように、Ａ≧（Ｋ×Ｚ）の範囲では、実線ａの減音しない傾き（Ｙ／Ａ）＝１の特性を指定減音量Ｚ引き下げた特性になり、Ａ＜（Ｋ×Ｚ）の範囲では、実線ａの（Ｋ−１）／Ｋ（＜１）倍の傾きの特性になる。
【００１７】
すなわち、減音後の出力音量Ｙは、減音前の音量ＡがＡ≧Ｋ×Ｚの大きいときに、一律に一定音量（例えば前記のハーフミュートの固定音量）に減音するのではなく、基準音量Ａに応じて基準音量Ａより指定減音量Ｚ低い音量Ａ−Ｚに減音することができる。しかも、減音前の基準音量ＡがＡ＜Ｋ×Ｚの小さいときにも、一律にミュートするのではなく、（Ｋ−１）／Ｋ倍の小さな変化勾配で基準音量Ａに比例して減音することができる。
【００１８】
そのため、再生装置の出力音量を、その音量に応じて適切に減音することができ、減音前の出力音量に応じたきめ細かな減音調整を実現し、減音前の出力音量に応じた効果的な減音を行なうことができる。
【００１９】
更に、減音後に減音指令操作手段を再度操作することにより、減音解除手段により減音が解除されて再生装置の出力音量を元の基準音量に戻すことができる。
【００２０】
そして、減音前、後の出力音量の多数個の組合わせをメモリ等に設定して保持することは不要であり、音量の多数回の比較等の処理を極めて迅速に行なう必要もなく、減音前の基準音量Ａに対してＡ−Ｚ又はＡ×（（Ｋ−１）／Ｋ）の簡単な演算をすればよく、処理負担が少なく、装置の記憶容量や処理負担等の面から極めて実用的な構成で実現できる。
【００２１】
したがって、記憶容量や処理負担が極めて少ない簡単な処理により、減音指令操作手段の簡単な操作で再生装置の出力音量を減音前の音量に応じて効果的に減音することができる。
【００２２】
又、請求項２の発明によれば、減音指令操作手段の設定回数の操作に対して、操作毎に音量判定手段により再生装置の出力音量が設定された指定減音量のＫ倍以上か否かをくり返し判定し、音量判定手段の判定結果に基づき、減音制御手段により、上述した減音の処理をくり返して再生装置の出力音量を段階的に小さくしてすばやく所望量に減音することができる。
【００２３】
そして、減音指令操作手段が前記設定回数の操作後に更に操作されると、減音解除手段により、再生装置の出力音量を自動的に一連の減音前の音量に戻すことができる。
【００２４】
そのため、前記請求項１と同様の効果を奏するだけでなく、減音指令操作手段の操作のくり返しにより、再生装置の出力音量の減音量をステップ可変し、所望の減音状態にすばやく容易に設定することができ、更には、減音前の音量に容易に戻すこともでき、減音する状況等に応じた最適な減音状態に自在かつ容易に調整して設定することができ、減音性能が一層向上する。
【００２５】
更に、請求項２に係る請求項３の発明によれば、減音指令操作手段が設定回数操作されたときに、減音制御手段によって再生装置の出力音量を消音状態にし、減音の機能にミュートの機能を付加することができ、一層便利で操作性の高い音量調整装置を提供することができる。
【００２６】
又、請求項３に係る請求項４の発明によれば、減音指令操作手段を操作部のミュートキーにより形成し、減音とミュートとをミュートキーを共用して行なうことができ、部品数が少なく、操作し易い構成により、請求項３と同様の効果を奏する。
【００２７】
又、請求項２乃至４の何れかに係る請求項５の発明によれば、減音指令操作手段の操作回数に応じて前記Ｋの大きさを変え、減音状態の変化特性を調整することができる。
【００２８】
更に、請求項１乃至５の何れかに係る請求項６の発明によれば、操作部が再生装置のリモコン端末器からなるため、操作性が高く実用的な構成に形成することができる。
【発明を実施するための最良の形態】
【００２９】
次に、本発明をより詳細に説明するため、その実施形態について、図１〜図７にしたがって詳述する。なお、以下の説明においては、本発明によって実行される減音をサブミュートと称する。
【００３０】
（第１の実施形態）
まず、概略請求項１に対応する第１の実施形態について、図１〜図５を参照して説明する。
【００３１】
図１は第１の実施形態の音量調整装置が設けられた再生装置としてのテレビジョン受信装置１のブロック図、図２はテレビジョン受信装置１の本体装置２と別体のリモコン端末器３の平面図、図３は第１の実施形態の音量調整装置の動作説明用のフローチャート、図４はテレビジョン受信装置１のサブミュート設定の説明図、図５はテレビジョン受信装置１のサブミュート特性の１例の説明図である。
【００３２】
［通常の受信及び表示・音声出力］
図１に示すようにテレビジョン受信装置１は本体装置２とリモコン端末器３とからなり、本体装置２は周知のアナログ又はデジタルのテレビジョン受信処理等を行なってテレビジョン放送番組あるいはビデオテープレコーダ、ＤＶＤ等の外部入力機器の再生番組（外部入力番組）の表示・音声出力を行なう。
【００３３】
その際、ＣＲＴ、液晶ディスプレイ、プラズマディスプレイ等どのような表示装置に番組表示等を行なってもよいが、本実施形態では本体装置２がＣＲＴ４を備え、ＣＲＴ４に番組表示等を行なう。
【００３４】
リモコン端末器３はユーザが手元で操作する周知の赤外線リモコンであり、電池電源で動作し、図２に示すように、厚みの薄い矩形状筐体３１の表面側の操作部３２に、従来のリモコン端末と同様に電源キー３３、テレビ／ビデオの入力切替キー３４、「１」〜「１２」のチャンネル番号キー３５、チャンネルのアップキー３６ｕ、ダウンキー３６ｄ、音量のアップキー３７ｕ、ダウンキー３７ｄ、ミュートキー３８等の多数個の操作キーが設けられる他、本発明の減音指令操作手段としてのサブミュートキー３９が設けられている。
【００３５】
このリモコン端末器３は、ユーザのキー操作（タッチ操作）に基づき、本体装置２のリモコン送受信部５と赤外線を介してデータをやり取りし、電源のオン／オフやチャンネル、音量の選択等の各種の操作指令を、リモコン送受信部５を介して本体装置２のマイクロコンピュータ（マイコン）構成の制御部６に送る。
【００３６】
一方、本体装置２は同装置２の電源キー（図示せず）が押されてテレビジョン受信装置１の主電源が投入されると、電源部７からリモコン送受信部５、制御部６等の所要回路部に電源を常給電し、リモコン端末器３の操作指令を受け付けるスタンバイ状態になる。
【００３７】
そして、制御部６は前記の電源のオン／オフやチャンネル、音量の選択等の各種の操作指令を受信すると、後述のメニュー設定でフラッシュメモリ等の不揮発性メモリ部８に書き換え自在に保持した受信、表示、音声等の各種の設定に基づき、本体装置２の各部を制御し、スタンバイ状態でリモコン端末器３の電源キー３３が操作されたり、タイマオン制御が発生したりしたときには、制御部６が電源部８から本体装置２の各部への給電をオンし、本体装置２を動作状態にする。
【００３８】
この動作状態の間に例えばリモコン端末器３の操作でテレビチャンネルが選択されると、不揮発性メモリ部８の設定に基づく制御部６の制御により、本体装置２は周知のアナログ又はデジタルの受信・表示の処理を実行し、選択されたチャンネル（以下、選択チャンネルという）のテレビ番組を受信し、表示・音声出力する。
【００３９】
具体的には、アンテナ、ケーブル等から受信端子９を介してテレビチューナ１０にテレビ受信信号等が入力され、テレビチューナ１０は受信信号から選択チャンネルの信号を検波、抽出して映像ＩＦ（ＩＦは中間周波増幅）・検波部１１に送る。
【００４０】
映像ＩＦ・検波部１１は選択チャンネルの映像ＩＦ信号を増幅して音声ＩＦ部１２に送るとともに、映像検波して当該チャンネルの複合映像信号を検波抽出し、その複合映像信号を映像増幅部１３に送る。
【００４１】
映像増幅部１３は周知の多段の映像増幅回路からなり、ブライトネス調整部１４、コントラスト調整部１５が設けられ、前記複合映像信号を増幅して同期分離部１６、色復調処理部１７に送り、更に、前記複合映像信号の輝度信号（Ｙ信号）を設定されたコントラスト及びブライトネスのゲインで増幅して後段のマトリクス処理部１８に送る。
【００４２】
同期分離部１６は前記複合映像信号から選択チャンネルの垂直・水平の同期信号を分離抽出して後段の各回路部等に供給し、色復調処理部１７は前記複合映像信号から例えばＲ−Ｙ、Ｇ−Ｙ、Ｂ−Ｙの色差信号（Ｒ、Ｇ、Ｂは赤、緑、青の原色信号）を抽出してマトリクス処理部１８に送る。
【００４３】
マトリクス処理部１８はＹ信号とＲ−Ｙ、Ｇ−Ｙ、Ｂ−Ｙの色差信号とのマトリクス処理により、選択チャンネルのＲ、Ｇ、Ｂの３原色信号を形成し、この３原色信号を表示出力部１９に送り、表示出力部１９はＲ、Ｇ、Ｂの３原色信号及び同期分離部１６の垂直・水平の同期信号等に基づき、ＣＲＴ４をカラー表示駆動してＣＲＴ４に選択チャンネルのテレビ番組を画面表示する。
【００４４】
又、音声ＩＦ部１２は映像ＩＦ信号に含まれた選択チャンネルの音声ＩＦ信号を抽出し、この音声ＩＦ信号を音声検波・復調部２０に送る。
【００４５】
音声検波・復調部２０は音声ＩＦ信号をＦＭ検波してＦＭ音声信号を生成し、このＦＭ音声信号のステレオ、音声多重等の情報及びユーザの音声選択等に基づき、前記ＦＭ音声信号にステレオ復調、音声多重復調の処理を施して選択チャンネルの左（Ｌ）、右（右）の音声信号を形成する。
【００４６】
そして、音声検波増幅部２０の左、右の音声信号を、左、右の電子音量調整部２１Ｌ、２１Ｒを介して左、右の音声出力部２２Ｌ、２２Ｒに送り、両音声出力部２２Ｌ、２２Ｒに接続された左、右のスピーカ２３Ｌ、２３Ｒから選択チャンネルのテレビ番組の左、右の音声を出力する。
【００４７】
ところで、音量調整部２１Ｌ、２１Ｒは制御部６によって増幅ゲインが可変設定されるアナログ又はデジタルの周知の音声信号増幅器からなる。
【００４８】
そして、テレビジョン受信装置１の音量であるスピーカ２３Ｌ、２３Ｒの音量は、一般的には、リモコン端末器３のアップキー３７ｕ、ダウンキー３７ｄの操作に基づき、制御部６が電子音量調整部２１Ｌ、２１Ｒの前記増幅ゲインを可変することで調整される。
【００４９】
この音量の調整は、３ビット制御であれば、前記増幅ゲインの８通りの制御値「０００」、「００１」、「０１０」、「０１１」、「１００」、「１０１」、「１０１」、「１１０」、「１１１」により、出力可能な最小音量乃至最大音量の間で、最小音量を「ステップ１」、最大音量を「ステップ８」として８段階にステップ増減して行なわれ、６ビット制御であれば、同様の６４通りの制御値により、前記の最小音量乃至最大音量の間で、最小音量を「ステップ１」、最大音量を「ステップ６４」として６４段階にステップ増減してより細かに行なわれる。
【００５０】
なお、各１ステップ当たりの音量変化量は必ずしも均等でなくてよく、小音量域での調整が容易に行なえるようにするため、小音領域での１ステップ当たりの音量変化量を大音領域のそれより小さくすることが望ましい。具体的には、前記の６ビット制御において、「ステップ１」乃至「ステップ１０」までは１ステップ当たりの音量変化量がそれ以上のステップの音量の変化量より小さくなるように、前記増幅ゲインと前記の６４通りの制御値との対応付けを行なう。
【００５１】
以上がテレビ放送の通常の受信及び表示・音声出力の制御処理である。そして、リモコン端末器３の操作でテレビジョン受信装置１の外部入力が選択され、テレビジョン受信装置１に接続されたビデオテープレコーダやＤＶＤのような映像機器の再生番組を表示・音声出力する場合には、例えば、映像増幅部１３、音声検波復調部２０の入力が図示省略した外部入力端子部の外部入力の複合映像信号、音声信号に切り替わり、それらの信号に基づき、前記と同様にして画面表示、音声出力が行われる。なお、外部入力機器がＣＤプレーやのような音声機器の場合は、映像入力がないため、音声検波復調部２０の入力のみが外部入力端子部の外部入力の音声信号に切り替わって前記音声機器の音声出力が行なわれる。
【００５２】
［本発明の減音制御（サブミュート制御）］
次に、上記のようにして選択チャンネルのテレビ放送の番組あるいは外部入力の番組を鑑賞している間に電話やインターホンが鳴り、それらの呼び出しに応答するような場合、テレビジョン受信装置１の音量を現在の音量から少し下げて減音することを望むことがあるが、従来はリモコン端末器３のダウンキー３７ｄを所望音量に下がるまでくり返し操作するしかなく、極めて面倒であり、しかも、時間がかかる。その上、前記の応答が終了して元の音量の戻す場合にも、リモコン端末器３のアップキー３７ｕを元の音量に戻るまでくり返し操作しなければならず、極めて面倒であり、しかも、時間がかかる。
【００５３】
なお、このような場合にリモコン端末器３のミュートキー３８を操作しても、制御部６にミュート制御が指令され、テレビジョン受信装置１の音量が前記の「ステップ１」の最小音量の消音状態（ミュート状態）になってしまう。又、テレビジョン受信装置１の音量を減音前の音量によらず無条件に一定音量に減音するのでは、減音前の音量の大小によって減音効果に差が生じ、減音前の音量が大きいときには不必要に（過度に）減音され、逆に、減音前の音量が小さいときにはほとんど減音されない不都合がある。更に、テレビジョン受信装置１の音量を減音前の音量によらず無条件に一定音量減音することも考えられるが、このようにする場合は、減音前の音量が小さいときに不必要に（過度に）減音される不都合がある。
【００５４】
そこで、この第１の実施形態においては、次の構成の音量調整装置をテレビジョン受信装置１に備え、リモコン端末器３のワンタッチ操作によって、テレビジョン受信装置１の音量を、減音前の音量を考慮してユーザの好みに応じて設定した音量だけ下げて減音することができ、又、減音後に元の音量状態に戻すことができるようにした。
【００５５】
すなわち、本実施形態の音量調整装置は、第１にテレビジョン受信装置（再生装置）１の操作部であるリモコン端末器３の操作部３２に減音指令操作手段として専用のサブミュートキー３９を設ける。第２に不揮発性メモリ部８を基準音量記憶手段とし、サブミュートキー３９が操作されたときの電子音量調整部２１Ｌ、２１Ｒの「音量ステップ」の数値をテレビジョン受信装置（再生装置）１の基準音量（減音前の音量）として不揮発性メモリ部８に書き換え自在に記憶する。第３に制御部６のＲＯＭ（図示せず）等に各種の制御プロクラムの１つとして図３のステップＳ１〜Ｓ１２のサブミュート制御のプログラムを保持し、制御部６が同プログラムをくり返し実行して請求項１の次の音量判定手段、減音制御手段、減音解除手段を形成する。
【００５６】
そして、本実施形態の音量判定手段は、サブミュートキー３９がワンタッチ操作されたときに不揮発性メモリ部８に取り込まれて記憶された基準音量が、設定された指定減音量のＫ倍（Ｋは１より大きい係数）以上か否かを判定する。
【００５７】
指定減音量は、メニュー設定（初期設定）によりリモコン端末器３を操作し、例えば図４の階層構造のメニュー画面Ｐ１〜Ｐ３を表示して指定値を書き換えることで変更自在に設定される。その設定方法は、最小音量乃至最大音量の間の音量をパーセント等で直接指定して設定してもよいが、音量変化を音量調整部２１Ｌ、２１の増幅ゲインの変化で設定して調整するため、本実施形態では、上述の「音量ステップ」の数値を指定して設定する。具体的には、最小音量を「音量ステップ１」、最大音量を「音量ステップ６４」とする６４段階のステップ増減の場合、この「音量ステップ」の１〜６４の数値を指定して設定する。なお、製造時には、指定減音量初期値の「音量ステップ１０」が不揮発性メモリ部８に記憶される。
【００５８】
又、Ｋは同メニュー設定によりユーザが変更自在に設定するようにしてもよいが、本実施形態の場合、設定の簡素化等を考慮して製造時に制御部６の前記のＲＯＭに書き込んで固定設定され、その値は実験等によって定められ、例えばＫ＝２である。
【００５９】
本実施形態の減音制御手段は、音量判定手段の判定結果に基づき基準音量が指定減音量のＫ倍以上であればテレビジョン受信装置１の出力音量を不揮発性メモリ部８の基準音量より指定減音量低い音量に減音し、基準音量が指定音量のＫ倍より小さければテレビジョン受信装置１の出力音量を不揮発性メモリ部８の基準音量の（Ｋ−１）／Ｋに減音する。
【００６０】
具体的には、基準音量（減音前の出力音量）を「音量ステップＡ」、指定減音量を「音量ステップＺ」、減音後の出力音量を「音量ステップＹ」とすると（Ａ、Ｙ、Ｚ、は１〜６４の数値）、Ｋ＝２の場合、基準音量が指定減音量の２倍以上（Ａ≧２×Ｚ）であれば、電子音量調整部２１Ｌ、２１Ｒの「音量ステップ」の数値、換言すれば減音後の音量を、Ｙ＝Ａ−Ｚに低減し、基準音量が指定減音量の２倍より小（Ａ＜２×Ｚ）であれば、電子音量調整部２１Ｌ、２１Ｒの「音量ステップ」の数値、換言すれば減音後の音量を、Ｙ＝Ａ×（（Ｋ−１）／Ｋ））＝Ａ／２に低減する。
【００６１】
このようにすることで、減音後の出力音量Ｙは、横軸を基準音量Ａ、縦軸を出力音量Ｙとする図５の減音特性図の実線ｙに示すように、減音直前の基準音量ＡがＡ≧（Ｋ×Ｚ）（Ｋ＝２の場合はＡ≧２×Ｚ）の大きい音量範囲では、実線ａの減音しない場合と同じ傾き（（Ｙ／Ａ）＝１）でユーザが設定した指定減音量Ｚ引き下げた特性になり、減音直前の基準音量ＡがＡ＜（Ｋ×Ｚ）（Ｋ＝２の場合はＡ＜２×Ｚ）の小さい音量範囲では、実線ａの特性を（Ｋ−１）／Ｋ（Ｋ＝２の場合は１／２）の傾きに緩やかにした特性で減音した特性になる。なお、図５の横軸の基準音量Ａ、縦軸の出力音量Ｙは、実際には電子音量調整部２１Ｌ、２１Ｒの「音量ステップ」の数値であるが、スピーカ２３Ｌ、２３Ｒの実際の音量であってよもい。
【００６２】
したがって、減音後の出力音量Ｙは、減音前の基準音量Ａによらず一定の音量に減音されるのでなく、減音前の基準音量Ａに対して一律に一定音量引き下げて減音されるものでもなく、ユーザが設定した指定減音量Ｚに基づき、減音前の音量ＡがＫ×Ｚ（Ｋ＝２の場合は２×Ｚ）以上か否かによって基準音量Ａに対する減音変化特性を変えて基準音量Ａに応じた音量に減音される。
【００６３】
具体的には、基準音量ＡがＡ≧（Ｋ×Ｚ）（例えばＡ≧２×Ｚ）の大きい音量であれば、基準音量Ａに対する変化勾配を１として、基準音量Ａから指定減音量Ｚ引き下げた所望の音量Ｙ（＝Ａ−Ｚ）に減音され、基準音量ＡがＡ＜Ｋ×Ｚ（Ａ＜２×Ｚ）の小さいときには、基準音量Ａに対する変化勾配を（Ｋ−１）／Ｋ倍（例えば１／２倍）に緩くして、基準音量Ａの（Ｋ−１）／Ｋ倍（例えば１／２倍）に引き下げた音量Ａ×（Ｋ−１）／Ｋに減音される。
【００６４】
そのため、電話やインターホンの呼び出しに応答するような場合に、サブミュートキー３９のワンタッチ操作により、テレビジョン受信装置１の減音前の出力音量を、その音量に応じて適切に減音することができ、減音前の出力音量に応じたきめ細かな減音調整を実現し、減音前の出力音量がどのようであっても、その音量に応じた効果的な減音を行なうことができる。
【００６５】
なお、Ａ＝（Ｋ×Ｚ）の基準音量Ａについての減音後の出力音量Ｙは、Ｙ＝Ａ−Ｚ＝（Ｋ−１）×Ｚ＝（Ｋ×Ｚ）×（Ｋ−１）／Ｋとなり、Ｙ（＝Ａ−Ｚ）、Ｙ＝Ａ×（Ｋ−１）／Ｋのいずれの減音によっても同じ音量となり、基準音量Ａに対する減音後の出力音量Ｙの変化が連続性を保ち、減音特性が不自然になることもない。
【００６６】
そして、減音前の基準音量Ａと減音後の出力音量Ｙとの多数個の組合わせをメモリ等に設定して保持する必要がなく、出力音量の比較等の処理を極めて迅速にくり返し行なう必要もなく、減音前の基準音量Ａに対してＡ−Ｚ又はＡ×（（Ｋ−１）／Ｋ）の簡単な演算をする処理負担が少なく、テレビジョン受信装置１の記憶容量や処理負担等の面から極めて実用的な構成で、上記の減音を実現することができる。
【００６７】
本実施形態の減音解除手段は、減音後のサブミュートキー３９の再度のワンタッチ操作により、テレビジョン受信装置１の減音された出力音量Ｙを不揮発性メモリ部８の基準音量Ａに戻す。
【００６８】
そのため、減音後にサブミュートキー３９をワンタッチ操作するだけで、減音が解除されてビジョン受信装置１の出力音量を元の基準音量Ａにすばやく戻すことができる。
【００６９】
次に、制御部６の本実施形態のサブミュート制御を図３を参照して説明する。
【００７０】
制御部６は本体装置２のスタンバイ状態でリモコン端末器３の電源オンのキー操作を待機し（ステップＳ１）、リモコン端末器３の電源キー３３が操作されて電源オンになると、ステップＳ１からステップＳ２に移行する。
【００７１】
このとき、指定減音量Ｚが不揮発性メモリ部８に設定されていなければ、ステップＳ２からステップＳ３に移行し、ステップＳ３により不揮発性メモリ部８に指定減音量Ｚの規定の初期値、例えば「音量ステップ」の数値１０を書き込んで自動的に指定減音量Ｚを初期設定し、その後ステップＳ４に移行する。
【００７２】
一方、前記のメニュー設定によって指定減音量Ｚが不揮発性メモリ部８に設定されている時は、ステップＳ２から直ちにステップＳ４に移行する。
【００７３】
その後、テレビ番組等を所望の音量で鑑賞している間は、ステップＳ４、Ｓ５のループ処理によって、サブミュートキー３９の操作、電源オフのキー操作を待機し、例えば電話やインターホンの呼び出しに応答するため、サブミュートキー３９のワンタッチ操作が発生すると、ステップＳ４からステップＳ６に移行し、そのときの電子音量調整部２１Ｌ、２１Ｒの「音量ステップＡ」の数値を、減音前の基準音量Ａとして検出し、不揮発性メモリ部８に書き込んで記憶保持する。
【００７４】
更に、ステップＳ６からステップＳ７に移行し、例えばＫ＝２の設定に基づき、基準音量ＡがＡ≧２×Ｚか否かを判別し、Ａ≧２×Ｚの大きな音量であれば、ステップＳ７からステップＳ８に移行して電子音量調整部２１Ｌ、２１Ｒの「音量ステップＹ」の数値を指定減音量Ｚ引き下げ、電子音量調整部２１Ｌ、２１Ｒの「音量ステップ」で表わした減音後の出力音量ＹをＹ＝Ａ−Ｚに減音する。
【００７５】
又、ステップＳ７の判別結果がＡ０＜２×Ｚの小さな音量であれば、ステップＳ７からステップＳ９に移行し、Ｋ＝２の設定に基づき、電子音量調整部２１Ｌ、２１Ｒの「音量ステップ」の数値をＡ０／２に半減し、電子音量調整部２１Ｌ、２１Ｒの「音量ステップ」で表わした減音後の出力音量Ａ１をＡ１＝Ａ０／２に減音する。
【００７６】
そして、ステップＳ８又はステップＳ９の減音処理後、減音中はステップＳ１０、Ｓ１１のループ処理によって、サブミュートキー３９の操作、電源オフのキー操作を待機し、前記の電話やインターホンの呼び出しの応答が終了して音量を戻すために、サブミュートキー３９のワンタッチ操作が発生すると、ステップＳ１０からステップＳ１２に移行し、電子音量調整部２１Ｌ、２１Ｒの「音量ステップ」の数値を、不揮発性メモリ部８に記憶保持されている基準音量Ａの数値に戻した後、ステップＳ１に移行してこのステップＳ１から処理をくり返す。
【００７７】
なお、ステップＳ５、Ｓ１１において、電源オフの操作を検出したときにも、それらのステップＳ５、Ｓ１１からステップＳ１２に移行し、電子音量調整部２１Ｌ、２１Ｒの「音量ステップ」の数値を、不揮発性メモリ部８に記憶保持されている基準音量Ａの数値に戻した後、ステップＳ１に移行してこのステップＳ１から処理をくり返す。
【００７８】
以上のように、この第１の実施形態の場合、リモコン端末器３に設けたサブミュートキー３９のワンタッチ操作により、テレビジョン受信装置１の出力音量を、その音量に応て適切に減音することができ、減音前の基準音量Ａ０に応じたきめ細かな減音調整を実現し、基準音量Ａ０がどのようであっても、その音量に応じた効果的な減音を行なうことができる。
【００７９】
更に、減音後（換言すれば減音状態中）のサブミュートキー３９のワンタッチ操作により減音を解除し、テレビジョン受信装置１の出力音量を、減音前の元の基準音量Ａ０に戻すことができる。
【００８０】
そのため、記憶容量や制御部６の処理負担が極めて少ない簡単な処理により、サブミュートキー３９の簡単なワンタッチ操作で、減音前の出力音量に応じた従来にない効果的な減音及びこの減音の解除を実現することができる。
【００８１】
（第２の実施形態）
次に、概略請求項２に対応する第２の実施形態について、図１、図２及び図６を参照して説明する。
【００８２】
この第２の実施形態はサブミュートキー３９の設定数回（例えば２回）の操作で減音量を次第に大きくし、その後のサブミュートキー３９の操作で元の音量に戻すようにしたものであり、図６は図３に代わる第２の実施形態の音量調整装置の動作説明用のフローチャートである。
【００８３】
そして、本実施形態の音量調整装置が、前記第１の実施形態の音量調整装置と異なる点は、制御部６が前記図３のステップＳ１〜Ｓ１２のサブミュート制御のプログラムに代えて図６のステップＱ１〜Ｑ１７のサブミュート制御のプログラムを保持し、制御部６が同プログラムをくり返し実行して請求項２の次の音量判定手段、減音制御手段、減音解除手段を形成するようにした点である。
【００８４】
本実施形態の音量判定手段は、減音指令操作手段としてのサブミュートキー３９が設定回数（例えば２回）操作される間、サブミュートキー３９の操作毎にテレビジョン受信装置１の出力音量が、設定された指定減音量ＺのＫ倍（Ｋは１より大きい係数）以上か否かを判定する。
【００８５】
なお、指定減音量Ｚは、第１の実施形態の場合と同様、メニュー設定（初期設定）によりリモコン端末器３を操作して変更自在に設定され、具体的には、最小音量を「音量ステップ１」、最大音量を「音量ステップ６４」とする６４段階のステップ増減の場合、この「音量ステップ」の１〜６４の数値を指定して設定される。なお、製造時には、指定減音量初期値１０が不揮発性メモリ部８に記憶される。
【００８６】
又、設定回数及びＫも第１の実施形態野場合と同様、メニュー設定によりユーザが変更自在に設定するようにしてもよいが、本実施形態の場合、設定の簡素化等を考慮して製造時に制御部６の前記のＲＯＭに書き込んで固定設定され、その値は実験等によって定められ、例えば設定回数＝２、Ｋ＝２である。なお、設定回数を多くすると操作性が損なわれるため、指定減音量Ｚや操作性等を考慮して設定する必要がある。
【００８７】
減音制御手段は、サブミュートキー３９が前記設定回数操作される間、音量判定手段の判定結果に基づきサブミュートキー３９の操作毎にテレビジョン受信装置１の出力音量が指定減音量ＺのＫ倍以上であればテレビジョン受信装置１の出力音量を指定減音量Ｚ低い音量に減音し、テレビジョン受信装置１の出力音量が指定減音量ＺのＫ倍より小さければテレビジョン受信装置１の出力音量を（Ｋ−１）／Ｋに減音することをくり返す。
【００８８】
なお、設定回数を２回とし、１回目の減音前の基準音量Ａを「音量ステップＡ０」の音量Ａ０、１回目の減音後の出力音量Ｙであり２回目の減音前の基準音量Ａを「音量ステップＡ１」の音量Ａ１、２回目の減音後の音量を「音量ステップＡ２」の音量Ａ２とし、指定減音量を「音量ステップＺ」の音量Ｚとすると、１回目の減音の音量Ａ０、Ａ１が第１の実施形態の基準音量Ａ、出力音量Ｙに相当し、又、２回目の音量Ａ１、Ａ２もそれぞれ第１の実施形態の基準音量Ａ、出力音量Ｙに相当する。
【００８９】
そして、Ｋ＝２の場合、１回目には、音量Ａ０が指定減音量Ｚの２倍以上（Ａ０≧２×Ｚ）であれば、電子音量調整部２１Ｌ、２１Ｒの減音後の「音量ステップＡ１」の数値、換言すれば減音後の音量Ａ１を、Ａ１＝Ａ０−Ｚに低減し、音量Ａ０が指定減音量Ｚの２倍より小（Ａ＜２×Ｚ）であれば、電子音量調整部２１Ｌ、２１Ｒの減音後の音量Ａ１を、Ａ１＝Ａ０×（（Ｋ−１）／Ｋ））＝Ａ０／２に低減し、２回目には、音量Ａ１が指定減音量Ｚの２倍以上（Ａ１≧２×Ｚ）であれば、電子音量調整部２１Ｌ、２１Ｒの減音後の「音量ステップＡ２」の数値、換言すれば減音後の音量Ａ２を、Ａ２＝Ａ１−Ｚに低減し、音量Ａ１が指定減音量Ｚの２倍より小（Ａ１＜２×Ｚ）であれば、電子音量調整部２１Ｌ、２１Ｒの減音後の音量Ａ２を、Ａ２＝Ａ１×（（Ｋ−１）／Ｋ））＝Ａ１／２に低減する。
【００９０】
このようにすることで、サブミュートキー３９の操作毎に第１の実施形態と同様の減音の処理をくり返し、各回毎に第１の実施形態の場合と同様の特性でテレビジョン受信装置１の出力音量を段階的に小さくして所望音量にすることができる。
【００９１】
そのため、電話やインターホンの呼び出しに応答するような場合に、サブミュートキー３９のワンタッチ操作のくり返しにより、テレビジョン受信装置１の出力音量を、その音量に応じた特性で段階的に適切に減音することができ、減音前の出力音量に応じたよりきめ細かな減音調整を実現し、減音前の出力音量がどのようであっても、その音量に応じたより効果的な減音を行なうことができる。
【００９２】
そして、減音前の基準音量Ａ０、Ａ１それぞれに対してＡ０−Ｚ、Ａ１−Ｚ又はＡ０×（（Ｋ−１）／Ｋ）、Ａ１×（（Ｋ−１）／Ｋ）の簡単な演算をすればよく、処理負担が少なく、テレビジョン受信装置１の記憶容量や処理負担等の面から極めて実用的な構成で、上記の減音を実現することができる。
【００９３】
減音解除手段は、サブミュートキー３９の前記設定回数（例えば２回）の操作の次のワンタッチ操作（３回目の操作）により、テレビジョン受信装置１の出力音量を不揮発性メモリ部８の音量Ａ０（＝最初の基準音量Ａ）に戻す。
【００９４】
そのため、サブミュートキー３９のワンタッチ操作を複数回くり返すことで、段階的に大きく減音された後、減音が自動的に解除されてテレビジョン受信装置１の出力音量がすばやく元の音量Ａ０（＝基準音量Ａ）に戻る。
【００９５】
次に、制御部６の本実施形態のサブミュート制御を図６を参照して説明する。
【００９６】
制御部６は本体装置２のスタンバイ状態でリモコン端末器３の電源オンのキー操作を待機し（ステップＱ１）、リモコン端末器３の電源キー３３が操作されて電源オンになると、図６のステップＱ１からステップＱ２に移行する。
【００９７】
このとき、指定減音量Ｚが不揮発性メモリ部８に設定されていなければ、ステップＱ２からステップＱ３に移行し、ステップＱ３により不揮発性メモリ部８に指定減音量Ｚの規定の初期値、例えば「音量ステップ」の数値１０を書き込んで自動的に指定減音量Ｚを初期設定し、その後ステップＱ４に移行する。
【００９８】
一方、指定減音量Ｚが不揮発性メモリ部８に設定されてる通常時は、ステップＱ２から直ちにステップＱ４に移行する。
【００９９】
その後、テレビ番組等を所望の音量で鑑賞している間は、ステップＳ４、Ｓ５のループ処理によって、サブミュートキー３９の操作、電源オフのキー操作を待機する。ここまでは、第１の実施形態の場合と同様である。
【０１００】
そして、例えば電話やインターホンの呼び出しに応答するため、サブミュートキー３９の１回目のワンタッチ操作が発生すると、ステップＱ４からステップＱ６に移行し、そのときの電子音量調整部２１Ｌ、２１Ｒの「音量ステップ」の数値Ａ０を、減音前の音量Ａ０として検出し、不揮発性メモリ部８に書き込んで記憶保持する。又、サブミュートキー３９の操作回数を１にカウントアップするか、３から２にカウントダウンする。
【０１０１】
更に、ステップＱ６からステップＱ７に移行し、例えばＫ＝２の設定に基づき、音量Ａ０がＡ０≧２×Ｚか否かを判別し、Ａ０≧２×Ｚの大きな音量であれば、ステップＱ７からステップＱ８に移行して電子音量調整部２１Ｌ、２１Ｒの「音量ステップ」の数値Ａ０を指定減音量Ｚ引き下げ、電子音量調整部２１Ｌ、２１Ｒの制御の「音量ステップ」で表わした減音後の出力音量Ａ１をＡ１＝Ａ０−Ｚに減音する。
【０１０２】
又、ステップＱ７の判別結果がＡ０＜２×Ｚの小さな音量であれば、ステップＱ７からステップＱ９に移行し、Ｋ＝２の設定に基づき、電子音量調整部２１Ｌ、２１Ｒの「音量ステップ」の数値をＡ０／２に半減し、電子音量調整部２１Ｌ、２１Ｒの「音量ステップ」で表わした減音後の出力音量Ａ１をＡ１＝Ａ０／２に減音する。
【０１０３】
そして、ステップＱ８又はステップＱ９の減音処理後、ステップＱ１０、Ｑ１１のループ処理によって、サブミュートキー３９の２回目の操作、電源オフのキー操作を待機し、更に減音するため、サブミュートキー３９の２回目のワンタッチ操作が続けて発生すると、ステップＱ１０からステップＱ１２に移行し、そのときの電子音量調整部２１Ｌ、２１Ｒの「音量ステップ」の数値Ａ１を、２回目の減音前の音量Ａ１として検出する。又、サブミュートキー３９の操作回数を２にカウントアップするか、残り操作回数を２から１にカウントダウンする。
【０１０４】
更に、ステップＱ１２からステップＱに移行し、例えばＫ＝２の設定に基づき、音量Ａ０がＡ０≧２×Ｚか否かを判別し、Ａ０≧２×Ｚの大きな音量であれば、ステップＱ７からステップＱ１３に移行して電子音量調整部２１Ｌ、２１Ｒの「音量ステップ」の数値Ａ１を指定減音量Ｚ引き下げ、電子音量調整部２１Ｌ、２１Ｒの制御の「音量ステップ」で表わした減音後の出力音量Ａ２をＡ２＝Ａ１−Ｚに更に減音する。
【０１０５】
又、ステップＱ１２の判別結果がＡ１＜２×Ｚの小さな音量であれば、ステップＱ１２からステップＱ１４に移行し、Ｋ＝２の設定に基づき、電子音量調整部２１Ｌ、２１Ｒの「音量ステップ」の数値をＡ１／２に更に半減し、電子音量調整部２１Ｌ、２１Ｒの「音量ステップ」で表わした減音後の出力音量Ａ２をＡ２＝Ａ１／２に更に減音する。
【０１０６】
そして、ステップＱ１３又はステップＱ１４の減音処理後、ステップＱ１５、Ｑ１６のループ処理によって、サブミュートキー３９の３回目の操作、電源オフのキー操作を待機し、前記の電話やインターホンの呼び出しの応答が終了して音量を戻すために、サブミュートキー３９の３回目のワンタッチ操作が発生すると、サブミュートキー３９の操作回数を上限値の３にカウントアップするか、残り操作回数を１から０にカウントダウンしてこのキー操作が３回目の操作であることを認識する。
【０１０７】
この認識に基づき、ステップＱ１５からステップＱ１７に移行し、サブミュートキー３９の操作回数又は残り操作回数を０に初期化して電子音量調整部２１Ｌ、２１Ｒの「音量ステップ」の数値を、不揮発性メモリ部８に記憶保持されている一連の減音前の音量Ａ０（＝Ａ）の数値に戻してステップＱ１に移行し、このステップＱ１から処理をくり返す。
【０１０８】
なお、ステップＱ５、Ｑ１１、Ｑ１６において、電源オフの操作を検出したときにも、それらのステップＱ５、Ｑ１１、Ｑ１６からステップＱ１７に移行し、電子音量調整部２１Ｌ、２１Ｒの「音量ステップ」の数値を、不揮発性メモリ部８に記憶保持されている基準音量Ａ０（＝Ａ）の数値に戻した後、ステップＱ１に移行してこのステップＱ１から処理をくり返す。
【０１０９】
又、減音前の音量Ａ０、指定減音量Ｚを、４０、１０とした例１の場合、２２、１０とした例２の場合、１７、１０とした例３の場合それぞれの１回目、２回目の減音後の音量Ａ１、Ａ２は、次の表１に示すようになる。
【０１１０】
【表１】
2007318591.tif 000003
【０１１１】
以上のように、この第２の実施形態の場合、リモコン端末器３に設けたサブミュートキー３９のワンタッチ操作を一定回数（２回）くり返すことで、テレビジョン受信装置１の出力音量を、第１の実施形態の場合と同様の減音処理をくり返して段階的にすばやく所望音量に減音することができ、一層きめ細かな減音調整を実現し、基準音量Ａ０がどのようであっても、その音量に応じた一層効果的な減音を行なうことができる。
【０１１２】
しかも、サブミュートキー３９が設定回数の操作後に更に操作されると、テレビジョン受信装置１の出力音量を自動的に一連の減音前の音量Ａ０（＝Ａ）に戻すことができる。
【０１１３】
そのため、第１の実施形態と同様の効果を奏するだけでなく、減音する状況等に応じた最適な減音状態に自在かつ容易に調整して設定することができ、減音性能が一層向上する。
【０１１４】
（第３の実施形態）
次に、第３の実施形態について、図１、図２及び図７を参照して説明する。
【０１１５】
この第３の実施形態は、図３のリモコン端末器３のサブミュートキー３９を省いてサブミュート制御の減音機能及び本来のミュート機能を備えるため、同端末器３のミュートキー３８をサブミュートキー３９に兼用し、ミュートキー３８を設定数回操作してサブミュート制御の減音をｍ回行なった後、ミュートキー３８を操作して完全なミュート状態にし、その後、ミュートキー３８の操作で元の音量に戻すようにしたものであり、図７は図３に代わる第３の実施形態の音量調整装置の動作説明用のフローチャートである。
【０１１６】
そして、本実施形態の音量調整装置が、前記第２の実施形態の音量調整装置と異なる点は、制御部６が前記図６のステップＱ１〜Ｑ１７のサブミュート制御のプログラムに代えて図７のステップＷ１〜Ｗ１５のサブミュート・ミュート制御のプログラムを保持し、制御部６が同プログラムをくり返し実行するようにした点である。
【０１１７】
この場合、例えば設定回数を１回（ｍ＝１）とすると、ミュートキー３８の１回目の操作に対しては、第２の実施形態の１回目の操作の場合と同様、減音制御手段が不揮発性メモリ部８の音量Ａ０、指定減音量Ｚに基づき、音量Ａ０の大きさににしたがって、電子音量調整部２１Ｌ、２１Ｒの「音量ステップ」の数値Ａ０を指定減音量Ｚ引き下げ、出力音量Ａ１をＡ１＝Ａ０−Ｚに更に減音するか、又は、電子音量調整部２１Ｌ、２１Ｒの「音量ステップ」の数値をＡ０／２に更に半減し、出力音量Ａ１をＡ１＝Ａ０／２に更に減音する。
【０１１８】
又、ミュートキー３８の２回目の操作に対しては、第２の実施形態の２回目の操作の場合とは異なり、減音制御手段が電子音量調整部２１Ｌ、２１Ｒの「音量ステップ」の数値を無条件にミュート値である１又は０にして出力音量Ａ２を完全な消音状態（ミュート）に制御する。
【０１１９】
更に、ミュートキー３８をつぎに操作すると、第２の実施形態のサブミュートキー３９の３回目の操作の場合と同様にして、減音制御手段が電子音量調整部２１Ｌ、２１Ｒの「音量ステップ」の数値を不揮発性メモリ部８の音量Ａ０に戻して出力音量Ａ３を一連の減音・ミュート前の音量Ａ０（＝Ａ）に戻す。
【０１２０】
そして、制御部６の本実施形態のサブミュート・ミュート制御について図７を参照して説明すると、制御部６は本体装置２のスタンバイ状態でリモコン端末器３の電源オンのキー操作を待機し（ステップＷ１）、リモコン端末器３の電源キー３３が操作されて電源オンになると、図７のステップＷ１からステップＷ２に移行する。
【０１２１】
このとき、指定減音量Ｚが不揮発性メモリ部８に設定されていなければ、ステップＷ２からステップＷ３に移行し、ステップＷ３により不揮発性メモリ部８に指定減音量Ｚの規定の初期値、例えば「音量ステップ」の数値１０を書き込んで自動的に指定減音量Ｚを初期設定し、その後ステップＷ４に移行する。
【０１２２】
一方、指定減音量Ｚが不揮発性メモリ部８に設定されている通常時は、ステップＷ２から直ちにステップＷ４に移行する。
【０１２３】
その後、テレビ番組等を所望の音量で鑑賞している間は、ステップＷ４、Ｗ５のループ処理によって、ミュートキー３８の操作、電源オフのキー操作を待機する。
【０１２４】
そして、例えば電話やインターホンの呼び出しに応答するため、ミュートキー３８の１回目のワンタッチ操作が発生すると、ステップＷ４からステップＷ６に移行し、そのときの電子音量調整部２１Ｌ、２１Ｒの「音量ステップ」の数値Ａ０を、減音前の音量Ａ０として検出し、不揮発性メモリ部８に書き込んで記憶保持する。又、ミュートキー３８の操作回数を１にカウントアップするか、３から２にカウントダウンする。
【０１２５】
更に、ステップＷ６からステップＷ７に移行し、例えばＫ＝２の設定に基づき、音量Ａ０がＡ０≧２×Ｚか否かを判別し、Ａ０≧２×Ｚの大きな音量であれば、ステップＷ７からステップＷ８に移行して電子音量調整部２１Ｌ、２１Ｒの「音量ステップ」の数値Ａ０を指定減音量Ｚ引き下げ、電子音量調整部２１Ｌ、２１Ｒの制御の「音量ステップ」で表わした減音後の出力音量Ａ１をＡ１＝Ａ０−Ｚに減音する。
【０１２６】
又、ステップＷ７の判別結果がＡ０＜２×Ｚの小さな音量であれば、ステップＷ７からステップＷ９に移行し、Ｋ＝２の設定に基づき、電子音量調整部２１Ｌ、２１Ｒの「音量ステップ」の数値をＡ０／２に半減し、電子音量調整部２１Ｌ、２１Ｒの「音量ステップ」で表わした減音後の出力音量Ａ１をＡ１＝Ａ０／２に減音する。
【０１２７】
そして、ステップＷ８又はステップＷ９の減音処理後、ステップＷ１０、Ｗ１１のループ処理によって、ミュートキー３８の２回目の操作、電源オフのキー操作を待機する。
【０１２８】
このとき、ミュートキー３８の２回目のワンタッチ操作が続けて発生すると、ステップＷ１０からステップＷ１２に移行し、電子音量調整部２１Ｌ、２１Ｒの「音量ステップ」の数値を、無条件にミュート出力の例えば０にする。又、ミュートキー３９の操作回数を２にカウントアップするか、残り操作回数を２から１にカウントダウンする。
【０１２９】
そして、ステップＷ１２のミュート処理後、ステップＷ１３、Ｗ１４のループ処理によって、ミュートキー３８の３回目の操作、電源オフのキー操作を待機し、前記の電話やインターホンの呼び出しの応答が終了して音量を戻すために、ミュートキー３８の３回目のワンタッチ操作が発生すると、ミュートキー３８の操作回数を上限値の３にカウントアップするか、残り操作回数を１から０にカウントダウンしてこのキー操作が３回目の操作であることを認識する。
【０１３０】
この認識に基づき、ステップＷ１３からステップＷ１５に移行し、ミュートキー３８の操作回数又は残り操作回数を０に初期化して電子音量調整部２１Ｌ、２１Ｒの「音量ステップ」の数値を、不揮発性メモリ部８に記憶保持されている一連の減音前の音量Ａ０（＝Ａ）の数値に戻してステップＷ１に移行し、このステップＷ１から処理をくり返す。
【０１３１】
なお、ステップＷ５、Ｗ９、Ｗ１１において、電源オフの操作を検出したときにも、それらのステップＷ５、Ｗ９、Ｗ１１からステップＷ１５に移行し、電子音量調整部２１Ｌ、２１Ｒの「音量ステップ」の数値を、不揮発性メモリ部８に記憶保持されている基準音量Ａ０（＝Ａ）の数値に戻した後、ステップＷ１に移行してこのステップＷ１から処理をくり返す。
【０１３２】
以上のように、この第３の実施形態の場合、減音指令操作手段が設定回数操作されたときに、減音制御手段によってテレビジョン受信装置１の出力音量をミュート（消音状態）にすることができ、減音の機能にミュートの機能を付加することができ、一層便利で操作性の高い音量調整装置を提供することができる。しかも、減音指令操作手段をリモコン端末器３の操作部３２のミュートキー３８により形成し、減音とミュートとをミュートキー３８を共用して行なうことができ、部品数が少なく、操作し易い構成により、所要の減音とミュートとを行なうことができ、一層便利で操作性の高い音量調整装置を提供することができる。
【０１３３】
そして、本発明は上記した各実施形態に限定されるものではなく、その趣旨を逸脱しない範囲において上述したもの以外に種々の変形実施を行なうことが可能であり、例えば、ミュートキー３８、サブミュートキー３９は、前記各実施形態のようにリモコン端末器３の操作部３２に設けられることが、実用的で好ましいが、例えば本体装置２のみで構成されるような再生装置にあっては本体装置２の操作部に設けられていてもよく、本体装置２、リモコン端末器３の両方の操作部に設けられていてもよい。
【０１３４】
又、前記Ｋの大きさは、減音指令操作手段であるミュートキー３８あるいはサブミュートキー３９の操作回数に応じて変えるようにし、減音状態の変化特性を減音の操作回数によって調整するようにしてもよい。
【０１３５】
そして、本発明の音量調整装置は、テレビジョン受信装置１のようなビデオ機器や、サラウンドシステム、ポータブルＣＤプレーヤ等のようなオーディオ機器等の音声出力機能（スピーカ出力機能）を備えた種々の再生装置、更には、ＤＶＤ付きテレビジョン受信装置等の前記のビデオ機器とオーディオ機器の複合機器からなる種々の再生装置に適用することができるのは勿論である。
【図面の簡単な説明】
【０１３６】
【図１】本発明の第１の実施形態の音量調整装置を備えたテレビジョン受信装置のブロック図である。
【図２】同上、テレビジョン受信装置のリモコン端末器の平面図である。
【図３】同上、テレビジョン受信装置のサブミュート制御のフローチャートである。
【図４】同上、テレビジョン受信装置のメニュー設定（初期設定）の表示面面の変化の説明図である。
【図５】同上、テレビジョン受信装置の減音特性の説明図である。
【図６】本発明の第２の実施形態の音量調整装置を備えたテレビジョン受信装置のサブミュート制御のフローチャートである。
【図７】本発明の第３の実施形態の音量調整装置を備えたテレビジョン受信装置のサブミュート・ミュート制御のフローチャートである。
【符号の説明】
【０１３７】
１    テレビジョン受信装置
２    本体装置
３    リモコン端末器
３２    操作部
３８    ミュートキー
３９    サブミュートキー
６    制御部
８    不揮発性メモリ部
２１Ｌ、２１Ｒ    電子音量調整部
【図１】
2007318591.tif 000004
【図２】
2007318591.tif 000005
【図３】
2007318591.tif 000006
【図４】
2007318591.tif 000007
【図５】
2007318591.tif 000008
【図６】
2007318591.tif 000009
【図７】
2007318591.tif 000010